(57)【要約】【課題】  デジタル放送ネットワークにおいて情報を効率的に放送する。【解決手段】  システム１０は、放送装置１４から受信器１６へ、接続情報とコンテンツ記述情報とが別々に伝送されることを可能にする。従って、チャネルといったサービスへの接続２８を特定するために必要とされる情報が知られる時点よりも前に、コンテンツの記述２６を受信器１６に提供することができる。コンテンツ記述情報と接続情報を切り離すことにより、放送ネットワークにおいて接続情報の付与を動的に管理することができる。【選択図】  図１
2007043739.tif 000002
【特許請求の範囲】
【請求項１】
コンテンツを伝送するステップと、
該コンテンツに関する接続情報を含む第１のアナウンスを伝送するステップと、
該コンテンツに関するコンテンツ記述を含む第２のアナウンスを伝送するステップと
を含んでなる方法。
【請求項２】
前記第２のアナウンスを伝送した後に、前記第１のアナウンスを伝送することを含んでいる請求項１に記載の方法。
【請求項３】
少なくとも２つの細分性レベルで前記コンテンツ記述を構成することを含んでいる請求項２に記載の方法。
【請求項４】
前記細分性レベルのそれぞれを、当該細分性に対する接続情報に結び付けることを含んでいる請求項３に記載の方法。
【請求項５】
サービス識別子に前記第２のアナウンスを与えて前記第１のアナウンスと結び付けるステップを更に含んでいる請求項１に記載の方法。
【請求項６】
前記接続情報におけるサービスの位置を特定することを含んでいる請求項５に記載の方法。
【請求項７】
前記コンテンツと共に付属情報を伝送するステップを更に含んでいる請求項６に記載の方法。
【請求項８】
前記第１のアナウンスと前記第２のアナウンスとを結び付けるための識別子を提供するステップを更に含んでいる請求項２に記載の方法。
【請求項９】
コンテンツを伝送するステップと、
該コンテンツに関する接続情報を含む第１のアナウンスを伝送するステップと、
該コンテンツに関するコンテンツ記述を含む第２のアナウンスを伝送するステップと
をプロセッサベースのシステムに実行させる命令を記憶するための記憶媒体を含んでいる製品。
【請求項１０】
前記第２のアナウンスを伝送した後に、前記第１のアナウンスを伝送するステップをプロセッサベースのシステムに実行させる命令を更に記憶している請求項９に記載の製品。
【請求項１１】
少なくとも２つの細分性レベルで前記コンテンツ記述を構成するステップをプロセッサベースのシステムに実行させる命令を更に記憶している請求項１０に記載の製品。
【請求項１２】
コンテンツを受信するステップと、
該コンテンツに関する接続情報を含む第１のアナウンスを受信するステップと、
該コンテンツに関するコンテンツ記述を含む第２のアナウンスを受信するステップと、
前記第１のアナウンスと前記第２のアナウンスとを相互に結び付けるステップと
を含んでなる方法。
【請求項１３】
前記第２のアナウンスを受信するステップが、前記第１のアナウンスの後に前記第２のアナウンスを受信することを含んでいる請求項１２に記載の方法。
【請求項１４】
前記コンテンツ記述における少なくとも２つの細分性レベルを識別することを含んでいる請求項１３に記載の方法。
【請求項１５】
前記細分性レベルのそれぞれを、当該細分性の接続情報に結び付けることを含んでいる請求項１４に記載の方法。
【請求項１６】
サービス識別子を前記第２のアナウンスと同一視して前記第１のアナウンスに結び付けることを含んでいる請求項１２に記載の方法。
【請求項１７】
コンテンツを受信するステップと、
該コンテンツに関する接続情報を含む第１のアナウンスを受信するステップと、
該コンテンツに関するコンテンツ記述を含む第２のアナウンスを受信するステップと、
前記第１のアナウンスと前記第２のアナウンスとを相互に結び付けるステップと
をプロセッサベースのシステムに実行させる命令を記憶するための記憶媒体を含んでいる製品。
【請求項１８】
プロセッサと、該プロセッサに結合され、第１のアナウンスと第２のアナウンスと映像コンテンツとを伝送する伝送器とを含んでおり、前記第１のアナウンスが前記映像コンテンツに対する接続情報を含み、前記第２のアナウンスが前記映像コンテンツに対するコンテンツ記述を含んでいるプロセッサベースのシステム。
【請求項１９】
プロセッサと、該プロセッサに結合され、第１のアナウンスと第２のアナウンスとを結び付ける受信器とを含んでおり、前記第１のアナウンスが映像コンテンツに対する接続情報を含み、前記第２のアナウンスが前記映像コンテンツに対するコンテンツ記述を含んでいるプロセッサベースのシステム。
【発明の詳細な説明】
【技術分野】
【０００１】
本発明は、デジタル放送ネットワークと放送情報を通信するための技術とに関する。
【背景技術】
【０００２】
デジタル放送システムは、一つ以上のチャネルで高品質な映像と音声と付属データ（ancillary data）とを提供することができる。デジタルシステムによる可能な解像度は、従来のテレビの解像度よりも何倍以上も高い場合がある。この解像度は、実に多数のチャネルを使って、転送データのビットレートを削減することによって実現できる。そのようなビットレートの削減は、利用可能なチャネル容量を効率的に利用し、複合的な映像の圧縮技術と音声の圧縮技術とを採用することによって達成できる。
【０００３】
適度なバンド幅の要求においてより高い解像度を実現するために、映像イメージシーケンスとそれに付随する音声とを表現するために必要とされるデータ量を最小にしながら、データチャネルを通過する情報が最大化される。従って、放送システムは、データ圧縮等のビットレートの削減方法の使用に関係する、ソースの符号化とソースの圧縮とを含みうる。
【０００４】
ソースは映像と音声だけでなく付加的ないわゆる付属データも含みうるので、その付属データを圧縮することもできる。付属データは、制御データと、条件付きアクセス制御データと、字幕（closed captioning）等の番組（program）の音声サービスと映像サービスとに付随するデータとを含みうる。付属データは独立した番組サービスも含みうる。
【０００５】
デジタル放送システムは、データストリームの情報パケットへの分割に関係するサービス多重・トランスポート（service multiplex and transport）と、各パケットを識別するための技術と、映像データストリームパケットと音声データストリームパケットと付属データストリームパケットとを単一のデータストリームへと多重化する方法とを含むこともできる。理想的には、これらのシステムは、例えば、地上放送と、ケーブル配信（cable distribution）と、衛星配信（satellite distribution）と既存の記録媒体とコンピュータインタフェースとを含む様々な映像ソースと連携する。ＭＰＥＧ２トランスポートストリーム構文（MPEG-2 transport stream syntax）は、既存規格に従って映像と音声とデータ信号とをパケット化して多重化するために使用される。
【０００６】
デジタル放送システムは、チャネルと変調の符号化に関係するＲＦ／伝送システムも含みうる。チャネルコーダ（channel coder）は、データが通信エラーによって影響を受けるかもしれないときに、そのデータを再生するために受信器において使用することができる情報をデータビットストリームに付加する。
【０００７】
従って、デジタル放送システムは既存のプロトコルを使ってより高い解像度の可能性を提供する。圧縮を使用するために、利用可能なチャネル数が増大して放送システム全体の複雑さが増加する場合がある。さらに、圧縮技術を使用すれば、利用可能なバンド幅は一般に十分に利用できるが、バンド幅が利用可能な区間（interval）にバンド幅リクエストを移行させる技術が必要とされる。
【０００８】
そのような技術の結果、伝送情報を再構築するための情報が使用されうる。この伝送情報は、ユーザがいつでも所定の時間に視聴するために一つのチャネルを選択することができるようにいくつかの特定のチャネルに関連することができる。しかしながら、放送者は、様々なチャネルの中のどれか一つに情報を提供することが可能でありうる。例えば、ケーブルオペレータまたは衛星オペレータは、そのチャネル上で起こることを完全に制御する。従って、デジタル放送システムでは、バンド幅または他の考慮事項に基づいて動的にチャネルを情報に割り当てることができる。結果として、音声コンテンツまたは映像コンテンツを所定のチャネルと関連付ける接続情報（connection information）が放送ストリームに与えられる場合がある。更に、放送システム上に与えられたまたは与えられるコンテンツの記述を提供するコンテンツ情報（content information）が提供される場合がある。
【０００９】
場合によっては、実際のコンテンツ情報が利用可能になる時点より前に音声／視覚コンテツについての情報を持つことが望ましいかもしれない。例えば、このコンテンツ情報は、電子コンテンツガイド（電子プログラミングガイド（electronic programming guide）としても知られる）を作成するために利用できる。しかしながら、既存の放送規格では、コンテンツについての情報とそのコンテンツへの接続方法についての情報との両方を与えるアナウンスストリーム（announcement stream）が伝送される。
【発明の開示】
【発明が解決しようとする課題】
【００１０】
以上の説明から、デジタル放送ネットワークにおいて情報を放送するより良い方法の継続的な必要性が存在する。
【発明を実施するための最良の形態】
【００１１】
図１を参照して説明すると、本発明の一実施態様である情報配信システム１０は、コンテンツ生成装置（content creator）１２と、トランスポートオペレータシステム（transport operator system）１４と、複数の受信器１６とを含む。受信器１６は、自宅、オフィス、娯楽施設、またはその他の場所といった様々な受信サイトに置かれる場合がある。コンテンツ生成装置１２は、トランスポートオペレータシステム（transport operator system）１４によって伝送される付属データとテレビコンテンツ（または、音声及び／または映像データを含む他のタイプのコンテンツ）を発生する。代わりに、コンテンツ生成装置１２はトランスポートオペレータシステム１４に向けて付属データを生成し、テレビコンテンツは他のソースによって提供される場合がある。
【００１２】
付属データは、グラフィックスデータ（例えば、ウェブページ、マルチメディア情報、または他のデジタルデータファイル）と、プレゼンテーションレイアウトと、電子コンテンツガイドと、同期化情報とを含みうる。トランスポートオペレータシステム１４は、地上設備、ケーブル設備、衛星設備、または他のタイプの伝送設備（アナログまたはデジタルのどちらか）を含みうる強化されたコンテンツ配信インフラストラクチャを提供する。音声コンテンツ／映像コンテンツと付属データとは、地上接続路（リンク）、ケーブル接続路、衛星接続路、または他のタイプの接続路でありうるトランスポート媒体２２上を受信器１６へ伝送されうる。受信器１６は、音声コンテンツまたは映像コンテンツと、関連する付属データとを受信するように構成された、テレビ、セットトップボックス、パーソナルコンピュータ、または他のタイプのシステムを含みうる。
【００１３】
この説明で使用される「音声／映像（Ａ／Ｖ（audio/video））コンテンツ」という用語は、視聴者及び／または聴取者へ提示するために一つ以上の受信サイトに伝送または配信できるどのようなタイプの音声データ／映像データも含むことが意図されている。ここで使われるＡ／Ｖコンテンツは、音声部分と映像部分との両方または音声部分若しくは映像部分のどちらか一つを含みうるコンテンツを指す場合がある。
【００１４】
ＡＴＳＣ（Advanced Television Systems Committee）またはＤＶＢ（Digital Video Broadcasting）等のＭＰＥＧ２ベースのシステムにおいて、トランスポートストリームプログラムは、ＴＶチャネルと一般にみなされるものに対応する。ＭＰＥＧは、カラー動画符号標準化作業グループ（Moving Picture Experts Group）を表し、ＭＰＥＧ２規格は、１９９４年付で国際標準化機構（ＩＳＯ（International Organization for Standardization））と国際電気標準機関（ＩＥＣ（International Electrotechnical Commission））によって公表されたISO/IEC 13818-1(MPEG-2 Systems)と、ISO/IEC 13818-2 (MPEG-2 Video)と、ISO/IEC 13818-3(MPEG-2 Audio)とに説明されている。ＡＴＳＣの説明は、１９９５年１０月付の「Guide to the Use of the ATSC Digital Television Standard」に見出すことができる。ＤＶＢ規格はウェブサイト｛http://www.etsi.org｝から入手可能である。ＤＶＢの説明は、仏国セデックス（Cedex, France）に所在するヨーロッパ遠距離通信標準研究所（ＥＴＳＩ（European Telecommunications Standards Institute））から入手可能な「Digital Video Broadcasting (DVB); Specification for Service Information (SI) in DVB Systems」（ＥＴＳ３００４６８、１９９８年２月）に見出すことができる。
【００１５】
これらのトランスポートストリームプログラムは、音声と、映像と、データ（例えば付属情報）とを含むことができ、それらは全て単一トランスポートストリームプログラムにしっかりと結び付いている。ユーザがこのトランスポートストリームプログラムに合わせる（tune）と、受信装置は、音声と映像と関連するデータとを知る。なぜならば、それらは同一のプログラムの一部分としてマークされているからである。付属データは、音声コンテンツ／映像コンテンツとは別々に提供される場合もある。
【００１６】
アナウンス（announcement）は、音声／映像コンテンツとは別々にまたはそれらと共に伝送される場合がある。このアナウンスは、どのような情報が伝送されたかを理解したり、異なった内容（subject matter）に関係する異なった時間に伝送された情報を統合（coordinating）したりするのに役立つ情報を提供できる。従って、ここで使用される「アナウンス」という用語は、放送システム上に提供されたコンテンツ以外の情報を指すことを単に意図している。
【００１７】
従って、アナウンスは接続情報とコンテンツ記述情報との両方を含みうる。コンテンツ記述情報は、コンテンツストリームで伝送された情報の要旨についての情報を取得するには有用である。そのため、コンテンツ記述情報は、受信器において電子コンテンツガイドまたは他の表示を生成するために利用されうる。接続情報は、受信器に情報を提供するために使用されたトランスポートについての情報を提供する。特定のシステムに対して選択されたサービス多重・トランスポートに応じて、異なった情報が接続情報として提供されうる。例えば、衛星システムでは、接続情報は衛星中継器（satellite transponder）の識別子または衛星の識別子等の衛星についての情報を構成することができる。他のシステムでは、接続情報は、チャネル番号に対応する情報になりうる。
【００１８】
こうして、本発明の一実施態様によれば、音声コンテンツ／映像コンテンツ２４は、コンテンツ生成装置１２から受信され、トランスポートオペレータによってサービス多重・トランスポート上を複数の受信器１６へと伝送されうる。トランスポートオペレータ１４は、コンテンツ記述情報２６と接続情報２８とを、当該コンテンツと共にまたはそれとは別々に伝送することもできる。
【００１９】
図２を参照して説明すると、トランスポートオペレータシステム１４は、接続路２４上のコンテンツ生成装置１２から音声／映像コンテンツ情報を受信するための受信ポート１０２を含みうる。コンテンツ記述情報２６と接続情報２８とは、トランスポートオペレータシステム１４内の制御装置１０６に提供されうる。制御装置１０６は、ソフトウェアルーチン１０８（トランスポートルーチンと呼ばれる）の統制の下に作動させることができる。トランスポートルーチン１０８は、最初に記憶媒体１０４に記憶され、それを実行させるために制御装置１０６にロードされうる。接続情報２８も、記憶媒体１０４に一時的に記憶されうる。
【００２０】
トランスポートオペレータは、ブロック２８に示された接続情報だけでなくブロック２６で示されたコンテンツ記述情報も受信することができる。メタデータ（meta-data）形式でありうるコンテンツ記述情報は、データプログラムガイド（ＤＰＧ（data program guide））等のアナウンスストリームの一部でありうる。コンテンツ記述は、同じく伝送されている音声コンテンツ／映像コンテンツの性質（nature）についての情報を提供する。このように、トランスポートシステム１４はコンテンツ記述情報を含む別個のアナウンスを伝送することができる。更に、トランスポートオペレータシステム１４は、接続情報２８を含む別個のアナウンスを提供することができる。接続情報は、放送セッションに関連するコンテンツを構成する一つ以上のデータコンポーネントを伝達する放送ネットワーク接続を識別する。例えば、そのコンテンツは、２つの例としてイベントまたはテレビ番組でありうる。
【００２１】
結果として、コンテンツ記述情報は、実際の接続情報に先だって別個のアナウンスとして放送することができる。本発明の実施態様によっては、信号情報（signaling information）のこれらの２つのコンポーネントを分離することによって、コンテンツ記述情報は、そのコンテンツへの接続が実際にいかに実行されるかが正確に知られる前に伝送できる。接続の割り当てが決定されると、接続情報が伝送され、以前に伝送されたコンテンツ記述とリンクされうる。これによって、放送ネットワークにおいて接続情報の動的な管理が可能となる。
【００２２】
従って、本発明の実施態様によっては、コンテンツ記述は、電子コンテンツガイドを作成するために利用される場合がある。更に、コンテンツ記述は、望ましい時間に実際の音声コンテンツ／映像コンテンツと共に伝送されうる。音声／映像のトラフィックが多い時間区間では、接続情報のみが伝送される場合があり、それによって本発明の実施態様によっては有利でありうる方法で（音声コンテンツ／映像コンテンツに対する）ネットワークのバンド幅の用法が変更される。
【００２３】
標準的な接続信号伝達メカニズム（standard connection signaling mechanism）が、ここに定義された本発明の実施態様に従って、例えばＡＴＳＣ規格とＤＶＢ規格とにおいて利用される場合がある。例えば、サービス記述フレームワークは、適用可能な規格に従ってＭＰＥＧ２プライベートセクションにおいて伝達されるデータサービステーブル（ＤＳＴ（data services table））の定義を含みうる。ＤＶＢ規格によれば、コンテンツの別個のデータコンポーネントと、放送ネットワーク接続を識別する論理識別子とを結び付けるために、類似のメカニズムを使用することができる。
【００２４】
論理識別子と結び付けられた接続情報は、例えばＤＳＴで伝達することができる。接続情報を受信器１６に配信することができ、接続識別子が与えられた接続情報の位置を示すことが許される十分な情報を受信器が提供する。従って、本発明の一実施態様によれば、接続情報デコーダコンポーネントは、識別子を解読し、それを所望の情報とリンクさせる。
【００２５】
本発明の一実施態様によれば、制御装置１０６に結合した別々の記憶媒体１１３と１１５とを提供することができ、コンテンツ記述情報２６と接続情報２８とを別々に記憶することができる。本発明の実施態様によっては、接続情報２８用の記憶装置が提供された全てでありうる。従って、接続情報は、後の伝送のために蓄積できる。このような場合には、接続情報に対するテンプレートホルダまたはプレースホルダを記憶装置１１５に記憶することができる。テンプレートは、コンテンツ記述情報、及び／または、音声コンテンツ／映像コンテンツに接続情報をリンクさせるための必要なリンク付け情報を提供できる。
【００２６】
受信システム１６では、受信器回路１１４（例えばＴＶチューナカード）が、トランスポート媒体２２やトランシーバ１１６からコンテンツを受信するよう構成される。受信回路１１４は、受信されたＡ／Ｖコンテンツを受信システムにおいてそのＡ／Ｖコンテンツを処理して提示するためのアプリケーションソフトウェアに送り出すＡ／Ｖデバイスドライバルーチン１３０と結び付けられる場合がある。接続路２０は、インターネット等の別のデータソースとの接続を提供することができる。
【００２７】
アプリケーションルーチンと、デバイスドライバと、他のルーチンまたはプログラムとは、制御装置１２０上で実行されうる。このようなルーチンまたはプログラムは、最初に記憶媒体１１８に記憶され、それを実行するために制御装置１２０にロードされうる。
【００２８】
２つのアナウンスストリームが共に受信器１６に到達すると、それらのストリームを相互に結び付けることができる。更に、テレビチャネル番号等のコンテンツを伝達するサービスの識別子にコンテンツ記述を結び付けることが望ましいかもしれない。また、どんな細分性（granularity）が望まれる場合でも、コンテンツの各データコンポーネントの論理接続識別子にコンテンツ記述を結び付けることが望ましいかもしれない。一例として、「アイテム（items）」と「グループ（group）」の階層モデルが定義でき、この「アイテム」はデータコンポーネントの最低の細分性と同一に扱われる。アイテムは合体して「グループ」になることができる。この例では、接続情報は、グループレベル、アイテムレベル、またはその両方の組み合わせで与えることができる。例えば、どんな所定のグループ内においても、「単一グループの接続の使用（use single group connection）」に対する接続識別子の値はそのグループアイテムの一部によって使用される場合があり、残りのアイテムはそれら自身の接続を特定する。２つの細分性レベルを有する例が説明されたが、当業者であればどんな所定数の細分性レベルも実施できることが理解されよう。
【００２９】
場合によっては、サービス識別子を提供することが必要ではない場合がある。もしコンテンツ記述が放送サービスで伝達されれば、サービス識別子は明らかに不要である。もしコンテンツ記述が、そのサービスの他に、例えばデータプログラムガイド（data program guide）の形式で全てのサービスに対するコンテンツ記述と組み合わされて伝達されれば、そのコンテンツ記述はそのサービス識別子を特定する。衛星通信の場合には、実施態様によっては、衛星中継器識別子は衛星識別子と同様に特定されうる。
【００３０】
接続情報フォーマットの仕様は、トランスポートストリームにおける明確な位置（well-defined location）から接続情報をいかに取得するかを定めることができる。図３を参照して説明すると、トランスポートストリーム３２は、他のデータ３６によって切り離された一連のプログラム識別子（program identifier ：以下、「ＰＩＤ」とよぶ）３４を有するＭＰＥＧ２トランスポートストリームでありうる。ＰＩＤ３４ａはコンテンツ記述を含みうる。ＰＩＤ３４ｃはコンテンツ記述の少なくとも一部と関連した接続情報を提供することができる。従って、接続情報は、関連するコンテンツ記述からは上流部に隔てられており、より後の時間に提供されうることを認識することができよう。
【００３１】
コンテンツ記述がトランスポートストリームから取得されると、それはそれより後に受け取られる接続情報データの特定のインスタンス（instance）を指し示すために使用される場合がある。コンテンツ記述情報と接続情報とは、コンテンツのデータコンポーネントへの接続が何か、または何に伝達されたかをよく知る（あるいは知る必要がある）以前に、コンテンツ記述を受信器１６に送る能力を実現するために別々に管理される場合がある。従って、コンテンツ記述は、コンテンツ情報に「結び付く（connect）」グループレベルの識別子を提供し、接続情報内の対応する情報に「結び付く（connect）」アイテムレベルの識別子を提供することができる。
【００３２】
例えば、図３を参照して説明すると、コンテンツ記述３８は、service#ID(0×0002)を含む場合があり、それは矢印Ａで示されるように、そのサービス（例えばチャネル）に対して対応する接続情報３９にリンクすることができる。グループレベルとアイテムレベルとの記述は、矢印Ｂによって示されるように接続情報内に示され、補正するためのインタネットプロトコル（ＩＰ）アドレスを含むtap#ID(0×00)にリンクしたitem tap#ID(0×0000)を含みうる。[www.ietf.com]から入手できるＲＦＣ（Request for Comments）を参照のこと。このように、コンテンツ記述において対応する細分性と接続情報とが、リンクされる場合がある。
【００３３】
次に図４を参照して説明すると、二重のアナウンス（dual announcements）を伝送するためのソフトウェア４０は、例えば記憶装置１０４に記憶されており、ブロック４２に示すように、制御装置１０６にコンテンツ記述を作成させることができる。ブロック４４に示すように、コンテンツ記述は、接続情報内の識別子へのリンクがロードされうる。そして、ブロック４６に示すように、コンテンツ記述が伝送されうる。本発明の実施態様によっては、コンテンツ記述は、音声コンテンツ／映像コンテンツとは別々に伝送されうる。他の実施態様では、それはその情報と共に伝送されうる。
【００３４】
接続情報が利用可能になると、ブロック４８に示すように、この接続情報は、そのコンテンツ記述のためにすでに提供された識別子にリンクする適切な識別子を使って発展されることができる。場合によっては、制御装置がコンテンツ情報を発展させるのと同時に作成されたテンプレートホルダまたはプレースホルダを接続情報の挿入のために利用することができる。従って、本発明の一実施態様によれば、適切な識別子を使って生成され記憶装置１１５に記憶されたテンプレートへと接続情報をスナップするだけでよい場合がある。そして、ブロック５０に示すように、接続情報は、受信器１６に伝送されうる。
【００３５】
図５を参照して説明すると、本発明の一実施態様によれば、ブロック５４に示すように、受信器においてソフトウェア５２は、例えばコンテンツ情報のアナウンスが受信される前に、コンテンツ記述のアナウンスを受信させることができる。ブロック５６に示すように、コンテンツ記述は、例えば電子コンテンツガイドと関連してその情報の使用を可能にするために表示されうる。これによって、ユーザまたはシステムは、サービスが実際にどのように提供されようとしているかを必ずしも知る必要が無く、ユーザが見たいものを決めることができる。
【００３６】
菱形５８に示すように、ソフトウェアは、関連する接続情報が受信されたかをチェックする。関連する接続情報が受信されると、図５のブロック６０に示すように、コンテンツ記述は、図３に示されたような識別子を使用してその接続情報にリンクされうる。そして、本発明の一実施態様によれば、接続情報を介してソースへの接続がなされる場合がある。結果として、ブロック６４に示すように、関連したコンテンツが取得できる。
【００３７】
本発明は限定された数の実施態様について説明されてきたが、当業者であればそれらから修正や変更を考え出すことができるであろう。請求項は、全てのそのような修正や変更が本発明の技術思想や技術範囲内に入るようカバーすることを意図している。
【図面の簡単な説明】
【００３８】
【図１】本発明の一実施態様である情報配信システムのブロック図である。
【図２】本発明の一実施態様である図１の情報配信システムにおけるトランスポートオペレータシステムと、受信システムと、サーバとのブロック図である。
【図３】本発明の一実施態様による方法を説明するための概略図である。
【図４】本発明の一実施態様によるトランスポートオペレータ上に存在するソフトウェアのフローチャートである。
【図５】本発明の一実施態様による受信器上に存在するソフトウェアのフローチャートである。
【図１】
2007043739.tif 000003
【図２】
2007043739.tif 000004
【図３】
2007043739.tif 000005
【図４】
2007043739.tif 000006
【図５】
2007043739.tif 000007